(57)【要約】【課題】  人がぶら下がってもプロジェクター支持装置を破損させることなく、プロジェクター支持装置のアーム部に設けられた回動機構を回動させることによって安全対策を備えたプロジェクター支持装置を提供する。【解決手段】  本発明のプロジェクター支持装置は、プロジェクターを支持するプロジェクター支持装置であって、前記プロジェクターから映像が投射されるスクリーン側に設置されたベース部と、前記プロジェクターを保持するプロジェクター保持部と、前記ベース部と前記プロジェクター保持部とを連結するアーム部とを備え、前記アーム部は、前記プロジェクター保持部によって保持されているプロジェクターと、前記スクリーンとの相対位置を維持するように構成され、閾値を超える負荷が掛かると回動するように構成される回動機構を有することを特徴とする。【選択図】  図２
2017138479.tif 000002
【特許請求の範囲】
【請求項１】
プロジェクターを支持するプロジェクター支持装置であって、
前記プロジェクターから映像が投射されるスクリーン側に設置されたベース部と、
前記プロジェクターを保持するプロジェクター保持部と、
前記ベース部と前記プロジェクター保持部とを連結するアーム部とを備え、
前記アーム部は、前記プロジェクター保持部によって保持されているプロジェクターと、前記スクリーンとの相対位置を維持するように構成され、閾値を超える負荷が掛かると回動するように構成される回動機構を有することを特徴とするプロジェクター支持装置。
【請求項２】
前記回動機構は、複数位置で固定可能であることを特徴とする、請求項１記載のプロジェクター支持装置。
【請求項３】
前記アーム部は、前記回動機構を前記複数位置のいずれかの位置で固定することにより、前記プロジェクター保持部によって保持されるプロジェクターの位置について、少なくとも略鉛直方向及び当該プロジェクターと前記スクリーンとの距離が調整可能であることを特徴とする、請求項２記載のプロジェクター支持装置。
【請求項４】
前記アーム部は、前記回動機構において連結される複数のアームで構成されており、
前記回動機構は、
回動軸と、
前記連結される一方のアーム側に設けられ、前記回動軸方向に沿って突出する凸部と、
前記連結される他方のアーム側に設けられ、前記凸部に対応する凹部と、
前記回動軸方向に作用する弾性部材とを含むことを特徴とする、請求項１乃至３のいずれかに記載のプロジェクター支持装置。
【請求項５】
前記アーム部は、前記回動機構において連結される複数のアームで構成されており、
前記回動機構は、
回動軸と、
前記連結される一方のアーム側に設けられ、前記回動軸方向に沿って設けられた第一の凹部と、
前記連結される他方のアーム側に設けられ、前記第一の凹部に対応する第二の凹部と、
前記第一の凹部と第二の凹部の間に配置されるロック部材と、
前記回動軸方向に作用する弾性部材とを含むことを特徴とする、請求項１乃至３のいずれかに記載のプロジェクター支持装置。
【請求項６】
前記アーム部は、前記回動機構において連結される複数のアームで構成されており、
前記回動機構は、
回動軸と、
前記連結される一方のアーム側に設けられ、前記回動軸方向に沿って突出する凸部と、
前記連結される他方のアーム側に設けられ、前記凸部に係止するストッパーとを含むことを特徴とする、請求項１乃至３のいずれかに記載のプロジェクター支持装置。
【請求項７】
前記回動機構は、複数設けられていることを特徴とする、請求項１乃至６のいずれかに記載のプロジェクター支持装置。
【請求項８】
前記閾値を超える負荷が掛かることにより前記回動機構が回動した場合、前記プロジェクター保持部によって保持されているプロジェクターもしくは前記アーム部が前記スクリーンに衝突する前に、前記スクリーンに衝突する規制部材を、さらに備えることを特徴とする、請求項１乃至７のいずれかに記載のプロジェクター支持装置。
【請求項９】
プロジェクターを支持するプロジェクター支持装置であって、
前記プロジェクターから映像が投射されるスクリーン側に設置されたベース部と、
前記プロジェクターを保持するプロジェクター保持部と、
前記ベース部と前記プロジェクター保持部とを連結するアーム部とを備え、
前記ベース部は、前記プロジェクター保持部によって保持されているプロジェクターと、前記スクリーンとの相対位置を維持するように構成され、閾値を超える負荷が掛かると回動するように構成される回動機構を有することを特徴とするプロジェクター支持装置。
【発明の詳細な説明】
【技術分野】
【０００１】
本発明は、黒板、ホワイトボード等に付設するプロジェクター支持装置に関し、より特定的には、安全対策を備えたプロジェクター支持装置に関する。
【背景技術】
【０００２】
一般的に、学校等の教育現場、研修会場、及びプレゼンテーション会場等では、黒板、ホワイトボード、あるいは大型スクリーン等を用いて、授業、講義、及びプレゼンテーション等が実施されている。また、このような黒板等には、チョークやペンで直接文字が書かれる場合だけでなく、プロジェクターを用いて文字や図形が投射されることも行われている。
【０００３】
プロジェクターは、映像の投射面である黒板等の前方に設置した台座に載置して操作することも可能であるが、最近では黒板等の固定型ボードの上部近傍にレールを付設し、当該レールに沿ってプロジェクターを走行させるプロジェクター支持装置を設置することによって、黒板等の適切な箇所に映像を投射する機構も採用されてきている。
【０００４】
しかしながら、このような機構を採用した場合、プロジェクター支持装置のアーム部分が黒板の前方に突出する形になるため、当該アームに人がぶら下がってしまうという問題があった。特に、このようなプロジェクター支持装置は学校の黒板に付設されることも多いため、幼い児童がぶら下がった場合の安全対策を万全にしておくことが重要である。
【０００５】
そのため、ある程度の負荷がかかるとアームが破損し、人がぶら下がることを防止しようとする壁面固定式アーム等が存在した（特許文献１）。
【先行技術文献】
【特許文献】
【０００６】
【特許文献１】特開２０１０−１７５８９７号公報
【発明の概要】
【発明が解決しようとする課題】
【０００７】
しかしながら、このようにアーム部を破損させることによってぶら下がり防止機能を果たそうとする場合、結局ぶら下がられたアーム部は破損してしまうため、安全対策という意味では不安な点があった。また、一度アーム部が破損してしまうと、プロジェクターの再取付や設定等の復旧に手間がかかるうえ、そもそも高価なプロジェクターが損壊してしまうおそれもあった。
【０００８】
それ故に、本発明は、上記のような課題に鑑みてなされたものであって、本発明の目的の１つは、人がぶら下がってもプロジェクター支持装置を破損させることなく、プロジェクター支持装置のアーム部に設けられた回動機構を回動させることによって安全対策を備えたプロジェクター支持装置を提供することである。
【課題を解決するための手段】
【０００９】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１０】
本発明に係るプロジェクター支持装置は、プロジェクターから映像が投射されるスクリーン側に設置されたベース部と、前記プロジェクターを保持するプロジェクター保持部と、前記ベース部と前記プロジェクター保持部とを連結するアーム部とを備え、前記アーム部は、前記プロジェクター保持部によって保持されているプロジェクターと、前記スクリーンとの相対位置を維持するように構成され、閾値を超える負荷が掛かると回動するように構成される回動機構を有することを特徴とする。
かかる構成により、本発明に係るプロジェクター支持装置は、プロジェクターとスクリーンとの相対位置を維持するように固定しつつ、人がぶら下がる等、閾値を超える負荷がかかった場合、アーム部に設けられた回動機構を回動させるため、プロジェクター支持装置を破損させることを回避できる。
【００１１】
また、より好ましくは、前記回動機構は、複数位置で固定可能であることを特徴とする。
かかる構成により、本発明に係るプロジェクター支持装置は、プロジェクターとスクリーンとの相対位置を調整できる。
【００１２】
また、より好ましくは、前記アーム部は、前記回動機構を前記複数位置のいずれかの位置で固定することにより、前記プロジェクター保持部によって保持されるプロジェクターの位置について、少なくとも略鉛直方向及び当該プロジェクターと前記スクリーンとの距離が調整可能であることを特徴とする。
かかる構成により、本発明に係るプロジェクター支持装置は、プロジェクターとスクリーンとの相対位置について、プロジェクターの略鉛直方向及び当該プロジェクターと前記スクリーンとの距離の調整が容易になる。また、後述するレールとの組合せにより、横方向についても任意の位置に映像が投射可能となるため、スクリーンのどの部分についても映像が投射可能となる。
【００１３】
また、より好ましくは、前記アーム部は、前記回動機構において連結される複数のアームで構成されており、前記回動機構は、回動軸と、前記連結される一方のアーム側に設けられ、前記回動軸方向に沿って突出する凸部と、前記連結される他方のアーム側に設けられ、前記凸部に対応する凹部と、前記回動軸方向に作用する弾性部材とを含むことを特徴とする。
【００１４】
または、より好ましくは、前記アーム部は、前記回動機構において連結される複数のアームで構成されており、前記回動機構は、回動軸と、前記連結される一方のアーム側に設けられ、前記回動軸方向に沿って設けられた第一の凹部と、前記連結される他方のアーム側に設けられ、前記第一の凹部に対応する第二の凹部と、前記第一の凹部と第二の凹部の間に配置されるロック部材と、前記回動軸方向に作用する弾性部材とを含むことを特徴とする。
【００１５】
または、より好ましくは、前記アーム部は、前記回動機構において連結される複数のアームで構成されており、前記回動機構は、回動軸と、前記連結される一方のアーム側に設けられ、前記回動軸方向に沿って突出する凸部と、前記連結される他方のアーム側に設けられ、前記凸部に係止するストッパーとを含むことを特徴とする。
【００１６】
これらの構成により、本発明に係るプロジェクター支持装置は、回動機構の咬合力・固定力の調整が可能となるため、安定してプロジェクターを保持することができるとともに、閾値（回動機構が回動する負荷）も容易に調整することが可能となる。
【００１７】
また、より好ましくは、前記回動機構は、複数設けられていることを特徴とする。
かかる構成により、本発明に係るプロジェクター支持装置は、プロジェクターとスクリーンとの相対位置について、より細やかに、かつ容易に調整が可能となる。また、特にアーム部に閾値を超える負荷がかかった場合、複数設けられた回動機構により、アーム部は複数個所において回動可能である。その結果、それぞれの回動距離が分散されてプロジェクターが急激に下降することを軽減できる。
【００１８】
また、より好ましくは、前記閾値を超える負荷が掛かることにより前記回動機構が回動した場合、前記プロジェクター保持部によって保持されているプロジェクターもしくは前記アーム部が前記スクリーンに衝突する前に、前記スクリーンに衝突する規制部材を、さらに備えることを特徴とする。
かかる構成により、本発明に係るプロジェクター支持装置は、閾値を超える負荷がかかった場合にプロジェクターが下降してスクリーンに衝突しそうになっても、その衝突前に規制部材がスクリーンに衝突するため、プロジェクターの破損を防ぐことができる。
【００１９】
また、本発明に係るプロジェクター支持装置は、プロジェクターを支持するプロジェクター支持装置であって、前記プロジェクターから映像が投射されるスクリーン側に設置されたベース部と、前記プロジェクターを保持するプロジェクター保持部と、前記ベース部と前記プロジェクター保持部とを連結するアーム部とを備え、前記ベース部は、前記プロジェクター保持部によって保持されているプロジェクターと、前記スクリーンとの相対位置を維持するように構成され、閾値を超える負荷が掛かると回動するように構成される回動機構を有することを特徴とする。
かかる構成により、本発明に係るプロジェクター支持装置は、プロジェクターとスクリーンとの相対位置を維持するように固定しつつ、閾値を超える負荷がかかった場合、アーム部に設けられた回動機構を回動させるため、プロジェクター支持装置を破損させることを回避できる。
【発明の効果】
【００２０】
以上のように、本発明によれば、人がぶら下がってもプロジェクター支持装置を破損させることなく、プロジェクター支持装置のアーム部に設けられた回動機構を回動させることによって安全対策を備えたプロジェクター支持装置を提供することができる。
【図面の簡単な説明】
【００２１】
【図１】本発明の第１の実施形態に係るプロジェクター支持装置１００を黒板１０１の上端部に設けた様子を示す正面図である。
【図２】本発明の第１の実施形態に係るプロジェクター支持装置１００を黒板１０１の上端部に設けた様子を示す側面図である。
【図３】本発明の第１の実施形態に係るプロジェクター支持装置１００のアーム部１２０を調整し、黒板１０１との距離及び映像の投射面１０２の高さを調整した様子を示す側面図である。
【図４】本発明の第１の実施形態に係るプロジェクター支持装置１００において、アーム部１２０に備え付けられた回動機構の一例１４０ａを示す部分詳細図である。
【図５】本発明の第１の実施形態に係るプロジェクター支持装置１００において、アーム部１２０に備え付けられた回動機構の一例１４０ｂを示す部分詳細図である。
【図６】本発明の第１の実施形態に係るプロジェクター支持装置１００において、アーム部１２０に備え付けられた回動機構の一例１４０ｃを示す部分詳細図である。
【図７】本発明の第１の実施形態に係るプロジェクター支持装置１００において、アーム部１２０に備え付けられた回動機構の一例１４０ｄを示す部分詳細図である。
【図８】本発明の第２の実施形態に係るプロジェクター支持装置２００の例を示す側面図である。
【図９】本発明の第３の実施形態に係るプロジェクター支持装置３００の例を示す側面図である。
【図１０】本発明に係るプロジェクター支持装置１００をアルミ枠製の黒板１０１ｂに取り付けた例を示す正面図及び側面図である。
【発明を実施するための形態】
【００２２】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２３】
＜第１の実施形態＞
図１は、本発明の第１の実施形態に係るプロジェクター支持装置１００を黒板１０１の上端部に設けた様子を示す正面図である。図１において、プロジェクター支持装置１００は、プロジェクター１０４を黒板１０１の上部から吊持している。黒板１０１の上端部には略水平方向（横方向）にガイドレール１０３が設けられており、プロジェクター支持装置１００は当該ガイドレール１０３上をスライド移動可能に設置されている。このような構成により、プロジェクター１０４から投射される映像を黒板１０１のうち横方向に任意の投射面１０２に投射することができる。
【００２４】
図２は、本発明の第１の実施形態に係るプロジェクター支持装置１００を黒板１０１の上端部に設けた様子を示す側面図である。図２において、プロジェクター支持装置１００は、ベース部１１０と、アーム部１２０と、プロジェクター保持部１３０とを備える。アーム部１２０は、複数のアームで構成されており、各アームの連結部分には回動機構１４０（詳細は後述）を備える。ここでは、回動機構１４０は、アーム部１２０の３箇所に設けられているが、これに限定されるものではなく、より少なくても、また多くても構わない。また、例えば１つの回動機構にのみ本発明に係る回動機構１４０を設け、他の回動機構は回動機構１４０を有しない回動機構とする構成であっても構わない。つまり、回動機構１４０は、少なくとも１つ設けられていればよい。
【００２５】
プロジェクター支持装置１００は、通常時（プロジェクターの使用状態、使用待機状態、電源オフ状態もしくはスタンバイ状態など）は、プロジェクター保持部１３０によって保持されているプロジェクター１０４の重さを保持し、その位置が黒板上部近傍に固定された状態を保っている。そこで、プロジェクター支持装置１００またはプロジェクター１０４に多少の衝撃が加えられてもプロジェクター１０４と黒板１０１（スクリーン）との相対位置が維持されるように構成されている（図２（ａ））。具体的には、プロジェクター支持装置１００またはプロジェクター１０４に多少の衝撃が加えられても、回動機構１４０は、回動しないように構成されている。
【００２６】
プロジェクター１０４またはアーム部１２０等の上部より下方向に閾値を超える負荷が掛かると、アーム部１２０に設けられた回動機構１４０が回動し、プロジェクター保持部１３０及びプロジェクター１０４が下降する（図２（ｂ））。図２（ｂ）では、プロジェクター１０４が黒板１０１に衝突する前に規制部材１２１が黒板１０１に衝突して、回動機構１４０の回動が停止している。これにより、プロジェクター１０４が黒板１０１に衝突することによって破損することを回避している。さらに、規制部材１２１は、例えば、少なくとも先端に軟性部材や弾性部材（クッション性の部材）を用いることにより、黒板１０１と衝突した際の衝撃を軽減する構成にすることが好ましい。
【００２７】
なお、このような規制部材１２１は必ずしも必要というものではなく、例えば、プロジェクター１０４側にクッション性の部材を設けておくことや、回動機構１４０の調整すること（詳細は後述）によって、プロジェクター１０４の破損を回避しても構わない。
【００２８】
ここにいう閾値は、２０ｋｇから３０ｋｇ程度が一つの目安であるが、プロジェクター支持装置１００の素材や、設置の方法により変動する。回動機構１４０に設けた弾性部材の強さや、その他の部材の締め具合等の調整によって（詳細は後述）、人がぶら下がった場合に、アーム部１２０が破損する前に回動機構１４０が回動するような構造を採っていればよい。
【００２９】
このように、アーム部１２０の回動機構１４０は、プロジェクター支持装置１００またはプロジェクター１０４に多少の衝撃が加えられた場合であっても、閾値を超える負荷が掛からなければ回動しないため、プロジェクター１０４と黒板１０１（スクリーン）との相対位置を維持する。また、例えば、人がアーム部１２０等にぶら下がる等、閾値を超える負荷が掛かれば、アーム部１２０の回動機構１４０が回動することにより、アーム部１２０は破損しない。
【００３０】
次に、プロジェクター１０４と黒板１０１（スクリーン）との相対位置を調整する場合について、本発明の第１の実施形態に係るプロジェクター支持装置１００の設定について説明する。
【００３１】
図３は、本発明に係るプロジェクター支持装置１００のアーム部１２０を調整し、黒板１０１との距離及び映像の投射面１０２の高さを調整した様子を示す側面図である。回動機構１４０は、それぞれが複数位置で固定可能に構成されていても構わないし、複数の回動機構１４０のうちいくつかが複数位置で固定可能に構成されていても構わない。
【００３２】
ここで、複数位置で固定可能とは、例えば、所定間隔で段階的に固定可能であって、当該所定間隔が小さければ小さい程、詳細な調整が可能となる。複数の回動機構１４０における固定位置の組合せ、回動機構１４０それぞれの調整によって、プロジェクター１０４の略鉛直方向（高さ方向）の位置、およびプロジェクター１０４と黒板１０１（スクリーン）との距離を調整する。これにより、プロジェクター１０４から投射される映像が映し出される投射面１０２の位置および／または大きさ（ピント、焦点）を設定することができる。
【００３３】
図３（ａ）は、アーム部１２０のアームを縮めるような状態の位置で回動機構１４０を固定することにより、プロジェクター１０４を高い位置に、かつ黒板１０１（スクリーン）に近い位置に設定し維持している。図３（ｂ）は、アーム部１２０のアームを伸ばすような状態の位置で回動機構１４０を固定することにより、プロジェクター１０４を低い位置に、かつ黒板１０１（スクリーン）に遠い位置に設定し維持している。
【００３４】
このように、アーム部１２０に設けられた回動機構１４０の調整により、略鉛直方向及び奥行方向にプロジェクター１０４の位置を任意に設定できる。また、略水平方向に設けられたガイドレール１０３との組合せにより、略水平方向にも調整が可能となり、黒板１０１のどの部分についても映像が投射可能となる。
【００３５】
次に、本発明に係るプロジェクター支持装置１００における回動機構１４０について、さらに詳細に説明する。
【００３６】
図４は、本発明に係るプロジェクター支持装置１００における回動機構１４０の一例（１４０ａ）を示す部分詳細図である。図４において、回動機構１４０ａは、弾性部材１４１（本図ではバネ）と、回動軸１４２と、回動軸方向に沿って突出する凸部１４３と、当該凸部１４３に対応する凹部１４４ａとを備える。なお、回動機構１４０は、アーム部１２０を構成するアームの連結部分に配置されており、一方のアーム側には凸部１４３が配置され、他方のアーム側には凹部１４４ａが配置されている。
【００３７】
凸部１４３と凹部１４４ａとを組み合わせて、弾性部材１４１の弾性力（反発力）を利用しながら凸部１４３と凹部１４４ａを押さえ、例えば、ボルトやナットを用いて固定している。これにより、プロジェクター支持装置１００は、通常時は、プロジェクター１０４の重量を保持し、プロジェクター１０４と黒板１０１との相対位置を維持している。
【００３８】
さらに、凸部１４３と凹部１４４ａを回動の中心から放射状に複数設けることにより、アーム部１２０を構成する各アームの様々な角度を様々な角度に調整できる。その結果、プロジェクター１０４から投射される映像が映し出される投射面１０２の位置および／または大きさ（ピント、焦点）を、より詳細に、かつ容易に調整することができる。
【００３９】
回動機構１４０ａに閾値を超える負荷が掛かると、弾性部材１４１によって押さえられた凸部１４３と凹部１４４ａとの噛合が外れて、回動機構１４０ａが回動する。凸部１４３と対応する凹部１４４ａの数はいくつであっても構わないが、多いほうがアーム部１２０の角度を細かく調整することが可能となる。また、回動の角度が細かくなることにより、急角度の回動を避けられることから、安全対策装置としても優れた効果を発揮することができる。
【００４０】
また、図４において、弾性部材１４１は一方のアームと他方のアームとの間に配置されているが、この位置に限られるものではなく、回動軸方向に作用するのであれば、例えば、アームの外側で、アームとナットやボルトの頭との間に配置されても構わない。
【００４１】
さらに、図４において、凸部１４３は一方のアームに直接設けられておらず、別部材として一方のアーム側に設けられているが、当該一方のアームに直接設けられていても構わない。また、逆に、凹部１４４ａは他方のアームに直接設けられているが、これも当該アームに直接設けられていなければならないわけではなく、別部材として他方のアーム側に設けられていてもよい。
【００４２】
図５は、本発明に係るプロジェクター支持装置１００における回動機構１４０の他の例（１４０ｂ）を示す部分詳細図である。図５において、回動機構１４０ｂは、弾性部材１４１（本図ではバネ）と回動軸１４２と、回動軸方向に沿って各アーム側に設けられた凹部１４４ｂと、ロック部材（本図では球）１４５とを備える。
【００４３】
対向する凹部１４４ｂ（一方のアーム側に設けられた第一の凹部及び他方のアーム側に設けられた第二の凹部）と、ロック部材１４５とを組み合わせて、弾性部材１４１の弾性力（反発力）を利用しながらロック部材１４５を対向する凹部１４４ｂの間に嵌め込んで、例えば、ボルトやナットを用いて固定している。これにより、プロジェクター支持装置１００は、通常時は、プロジェクター１０４の重量を保持し、プロジェクター１０４と黒板１０１との相対位置を維持している。
【００４４】
さらに、凹部１４４ｂを回動の中心から放射状に複数設けることにより、アーム部１２０を構成する各アームの様々な角度を様々な角度に調整できる。その結果、プロジェクター１０４から投射される映像が映し出される投射面１０２の位置および／または大きさ（ピント、焦点）を、よい詳細に、かつ容易に調整することができる。
【００４５】
回動機構１４０ｂに閾値を超える負荷がかかると、弾性部材１４１の弾性力（反発力）によって両側のアームで押さえられていたロック部材１４５が凹部１４４ｂから外れて、回動機構１４０ｂが回動する。凹部１４４ｂの数はいくつであっても構わないが、図４における回動機構１４０ａと同様に、その数が多いほうがアーム部１２０の角度を細かく調整することが可能となるし、急角度の回動を避けられることから、安全対策装置としても優れた効果を発揮することができる。
【００４６】
また、図５において、弾性部材１４１は一方のアームと他方のアームとの間に配置されているが、この位置に限られるものではなく、回動軸方向に作用するのであれば、例えば、アームの外側で、アームとナットやボルトの頭との間に配置されても構わない。
【００４７】
また、図５において、凹部１４４ｂは一方のアームに直接設けられておらず、別部材として一方のアーム側に設けられているが、当該一方のアームに直接設けられていても構わない。また、逆に、対向する凹部１４４ｂは他方のアームに直接設けられているが、これも当該アームに直接設けられていなければならないわけではなく、別部材として他方のアーム側に設けられていてもよい。さらに、それぞれ凹部１４４ｂは、それらの間にロック部材１４５を安定して保持できるのであれば、例えば、貫通孔であっても構わない。
【００４８】
また、図５において、ロック部材１４５は、２つ配置しているが、アーム部１２０の角度を安定して保持できるのであれば、必ずしも２つである必要はなく、３つであっても、さらに多くのロック部材１４５を配置しても構わない。ロック部材１４５を配置する数が多ければ多い程、回動機構１４０ｂにおけるアーム部１２０の保持力が向上する。
【００４９】
また、ロック部材１４５は、それぞれ凹部１４４ｂのいずれか側に予め固定されて配置されていても構わないし、例えば、ボルトやナットで両側からアームを連結する際に挟み込むように配置されても構わない。ロック部材１４５が予め固定されて配置されていれば、プロジェクター支持装置１００の設置時にロック部材１４５が落下することがない。一方、ロック部材１４５をボルトやナットで両側からアームを連結する際に挟み込むように配置するようにすれば、例えば、ロック部材１４５の大きさや素材によって、回動機構１４０ｂの強度もしくは回動し易さ（回動する閾値）等を容易に調整することが可能になる。
【００５０】
また、図５において、ロック部材には球を用いているが、必ずしも球でなければいけないわけではなく、楕円体等であっても構わない。
【００５１】
図６は、本発明に係るプロジェクター支持装置１００における回動機構１４０の他の例（１４０ｃ）を示す部分詳細図である。図６において、回動機構１４０ｃは、基本的に図５に示した回動機構１４０ｂと同じ構造であるため、図５に示した回動機構１４０ｂと同一の構成については、同一の参照符号を付すことによって、詳細な説明は省略する。回動機構１４０ｃは、アーム部１２０が回動する際にロック部材１４５が落下しないようにガイド溝１４６を有する凹部１４４ｃを備えている。  
【００５２】
図７は、本発明に係るプロジェクター支持装置１００における回動機構１４０の他の例（１４０ｄ）を示す部分詳細図である。図７において、回動機構１４０ｄは、弾性部材１４１ｄ（本図ではねじりコイルバネ）と、回動軸１４２と、ストッパー１４７と、歯車１４８とを備える。なお、回動機構１４０ｄは、アーム部１２０を構成するアームの連結部分に配置されている。歯車１４８は、一方のアーム側に回動軸方向に沿って突出するように形成された凸部であって歯車のような形状で配置されており、ストッパー１４７は、他方のアーム側には配置されており、当該歯車１４８を係止するように構成されている。また、弾性部材１４１ｄは、ストッパー１４７が歯車１４８に係止する方向に作用するように配置されている。
【００５３】
歯車１４８にストッパー１４７を係止して、弾性部材１４１ｄの弾性力（反発力）を利用しながらストッパー１４７で歯車１４８を押さえ、例えば、ボルトやナットを用いて固定している。これにより、プロジェクター支持装置１００は、通常時は、プロジェクター１０４の重量を保持し、プロジェクター１０４と黒板１０１との相対位置を維持している。
【００５４】
さらに、歯車１４８の凸形状は、回動の中心から放射状に構成することにより、アーム部１２０を構成する各アームの様々な角度を様々な角度に調整できる。その結果、プロジェクター１０４から投射される映像が映し出される投射面１０２の位置および／または大きさ（ピント、焦点）を、より詳細に、かつ容易に調整することができる。
【００５５】
回動機構１４０ｄに閾値を超える負荷がかかると、弾性部材１４１ｄで押さえられたストッパー１４７と歯車１４８との噛合が外れて、回動機構１４０ｄが回動する。歯車１４８の形状に関して、歯数に相当する形状部分は、いくつであっても構わないが、多いほうがアーム部１２０の角度を細かく調整することが可能となる。また、回動の角度が細かくなることにより、急角度の回動を避けられることから、安全対策装置としても優れた効果を発揮することができる。
【００５６】
なお、スラストワッシャー１４９は回動軸１４２の回動をスムーズにするためのものであって、必ずしも配置される必要はないが配置される方が好ましい。
【００５７】
以上のように、本発明の第１の実施形態に係るプロジェクター支持装置１００によれば、人がぶら下がってもプロジェクター支持装置１００を破損させることなく、プロジェクター支持装置１００のアーム部１２０に設けられた回動機構１４０を回動させることによって安全対策を備えたプロジェクター支持装置を実現することができる。
【００５８】
さらに、特に、回動機構１４０ａ〜１４０ｄによれば、プロジェクター１０４と黒板１０１（スクリーン）との相対位置を、詳細に、かつ容易に設定でき、また、規制部材１２１によれば、より確実に、プロジェクター支持装置１００およびプロジェクター１０４の破損を回避することができる。
【００５９】
＜第２の実施形態＞
図８は、本発明の第２の実施形態に係るプロジェクター支持装置２００の例を示す側面図である。図８において、本発明の第１の実施形態に係るプロジェクター支持装置１００で説明した内容に関しては、同一の参照符号を付すことにより詳細な説明は省略する。図８において、プロジェクター支持装置２００は、アーム部１２０を二重の構成にしている点でプロジェクター支持装置１００の構成と異なる。
【００６０】
以上のように、本発明の第２の実施形態に係るプロジェクター支持装置２００によれば、アーム部１２０を二重に設けるとともに、それに合わせて回動機構１４０の数を増やすことによって、本発明の第１の実施形態に係るプロジェクター支持装置１００で奏する効果に加えて、さらに通常時の維持力が向上し、人がぶら下がってもプロジェクター支持装置２００をより確実に破損させることなく、安全対策装置としてより優れた効果を発揮することができる。
【００６１】
＜第３の実施形態＞
図９は、本発明の第３の実施形態に係るプロジェクター支持装置３００の例を示す側面図である。図９において、本発明の第１の実施形態に係るプロジェクター支持装置１００で説明した内容に関しては、同一の参照符号を付すことにより詳細な説明は省略する。図９において、プロジェクター支持装置３００は、アーム部１２０を構成するアームの数を、本発明の第１の実施形態に係るプロジェクター支持装置１００より少なくしている。換言すれば、回動機構１４０の数を少なくしている。
【００６２】
以上のように、本発明の第２の実施形態に係るプロジェクター支持装置２００によれば、回動機構１４０の数を少なくすることによって、本発明の第１の実施形態に係るプロジェクター支持装置１００で奏する効果に加えて、プロジェクター１０４と黒板１０１との相対位置をより簡素に設定することができ、さらには、開発および／または製造コストを軽減することができる。
【００６３】
＜その他の変形例＞
図１０は、本発明に係るプロジェクター支持装置１００をアルミ枠製の黒板１０１ｂに取り付けた例を示す正面図及び側面図である。これまで、プロジェクター支持装置１００を木枠製の黒板１０１に取り付けた状態を前提に説明してきたが、当該装置はアルミ枠製の黒板に取り付けることもできるため、その場合の一例を示す。この場合も、上記に述べた回動機構１４０とアーム部１２０の数や構造について、様々なバリエーションを組み合わせることが可能である。
【００６４】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００６５】
本発明は、黒板、ホワイトボード等に付設するプロジェクター支持装置に利用可能である。
【符号の説明】
【００６６】
１００  プロジェクター支持装置
１０１、１０１ｂ  黒板
１０２  映像の投射面
１０３  ガイドレール
１０４  プロジェクター
１１０  ベース部
１２０  アーム部
１２１  規制部材
１３０  プロジェクター保持部
１４０  回動機構
１４１、１４１ｄ  弾性部材
１４２  回動軸
１４３  凸部
１４４ａ、１４４ｂ、１４４ｃ  凹部
１４５  ロック部材
１４６  ガイド溝
１４７  ストッパー
１４８  歯車
１４９  スラストワッシャー
２００  プロジェクター支持装置
３００  プロジェクター支持装置
【図１】
2017138479.tif 000003
【図２】
2017138479.tif 000004
【図３】
2017138479.tif 000005
【図４】
2017138479.tif 000006
【図５】
2017138479.tif 000007
【図６】
2017138479.tif 000008
【図７】
2017138479.tif 000009
【図８】
2017138479.tif 000010
【図９】
2017138479.tif 000011
【図１０】
2017138479.tif 000012